(57)【要約】【課題】火災時における障子と枠体との間に隙間が生じることを防ぐことで、防火性能を確保することができる。【解決手段】枠体１と、枠体１の内部の屋外側に設けられた外障子２Ａ、及び屋内側に設けられた内障子２Ｂを有する障子２と、を備え、外障子２Ａと内障子２Ｂとのそれぞれの框のうち外障子２Ａの召合せ框２３Ａのみに、召合せ框２３Ａの全長にわたって延びる金属製の框芯材２６が設けられた構成の引き違いサッシを提供する。【選択図】図３
2020114975.tif 000002
【特許請求の範囲】
【請求項１】
枠体と、前記枠体の内部の屋外側に設けられた外障子、及び屋内側に設けられた内障子を有する障子と、を備えた防火用として用いる引き違いサッシであって、
前記外障子と前記内障子とのそれぞれの框のうち前記外障子の召合せ框のみに、該召合せ框の全長にわたって延びる金属製の芯材が設けられていることを特徴とする引き違いサッシ。
【請求項２】
前記外障子の上框に加熱発泡材が設けられている請求項１に記載の引き違いサッシ。
【請求項３】
前記内障子の上框に加熱発泡材が設けられている請求項１又は２に記載の引き違いサッシ。
【請求項４】
前記外障子の下部と前記枠体の下枠との間に加熱発泡材が設けられている請求項１乃至３のいずれか１項に記載の引き違いサッシ。
【請求項５】
前記外障子の召合せ框、及び前記内障子の召合せ框には、それぞれの上端及び下端に加熱発泡材が設けられている請求項１乃至４のいずれか１項に記載の引き違いサッシ。
【請求項６】
前記外障子の戸先框の上端及び下端に加熱発泡材が設けられている請求項１乃至５のいずれか１項に記載の引き違いサッシ。
【請求項７】
前記内障子の戸先框の上端に加熱発泡材が設けられている請求項１乃至６のいずれか１項に記載の引き違いサッシ。
【発明の詳細な説明】
【技術分野】
【０００１】
本発明は、引き違いサッシに関するものである。
【背景技術】
【０００２】
従来、障子部材の内部の全てに芯材を設けることにより強度をもたせるとともに、縦枠と縦框の間に加熱発泡材を配置することにより隙間を塞いでいる防火用の引き違いサッシが知られている（例えば、下記の特許文献１参照）。
【先行技術文献】
【特許文献】
【０００３】
【特許文献１】特許第４０７２４２１号公報
【発明の概要】
【発明が解決しようとする課題】
【０００４】
しかしながら、上記の特許文献１に記載されたような防火用の引き違いサッシでは、火災時に高温に晒されると、熱伸びや反りによって障子や枠が変形し、障子と枠体との間に隙間が生じてしまう虞があった。このような隙間により屋内外を連通する部分が形成されると、屋外の熱が内側に伝わり易くなる。そのため、部材を補強し、縦枠と縦框の隙間を開けさせないように隙間を埋めることが行われることにより部材点数が多くなり、コストが増大しており、その点で改善の余地があった。
【０００５】
そこで、本発明は、上記事情に鑑みてなされたものであり、火災時における障子と枠体との間に隙間が生じることを防ぐことで、防火性能を確保することができる引き違いサッシを提供する。
【課題を解決するための手段】
【０００６】
上記目的を達成するために、本発明は以下の手段を採用している。
すなわち、本発明に係る引き違いサッシは、枠体と、前記枠体の内部の屋外側に設けられた外障子、及び屋内側に設けられた内障子を有する障子と、を備えた防火用として用いる引き違いサッシであって、前記外障子と前記内障子とのそれぞれの框のうち前記外障子の召合せ框のみに、該召合せ框の全長にわたって延びる金属製の芯材が設けられていることを特徴としている。
【０００７】
また、本発明に係る引き違いサッシでは、前記外障子の上框に加熱発泡材が設けられていることが好ましい。
【０００８】
また、本発明に係る引き違いサッシでは、前記内障子の上框に加熱発泡材が設けられていることが好ましい。
【０００９】
また、本発明に係る引き違いサッシでは、前記外障子の下部と前記枠体の下枠との間に加熱発泡材が設けられていることを特徴としてもよい。
【００１０】
また、本発明に係る引き違いサッシでは、前記外障子の召合せ框、及び前記内障子の召合せ框には、それぞれの上端及び下端に加熱発泡材が設けられていることを特徴としてもよい。
【００１１】
また、本発明に係る引き違いサッシでは、前記外障子の戸先框の上端及び下端に加熱発泡材が設けられていることを特徴としてもよい。
【００１２】
また、本発明に係る引き違いサッシでは、前記内障子の戸先框の上端に加熱発泡材が設けられていることを特徴としてもよい。
【発明の効果】
【００１３】
本発明に係る引き違いサッシによれば、火災時における障子と枠体との間に隙間が生じることを防ぐことで、防火性能を確保することができる。
【図面の簡単な説明】
【００１４】
【図１】本発明の一実施形態による引き違いサッシを屋内側から見た正面図である。
【図２】図１の引き違いサッシにおける外障子と内障子の縦断面図である。
【図３】図１のＡ−Ａ線断面図である。
【図４】図２に示す上框の要部拡大図である。
【図５】図２に示す下框の要部拡大図である。
【図６】図３に示す召合せ框の要部拡大図である。
【図７】図３に示す外障子の戸先框の要部拡大図である。
【発明を実施するための形態】
【００１５】
以下、本発明の一実施形態による建築物の開口部に設けられる引き違いサッシについて、図面に基づいて説明する。
【００１６】
図１に示すように、引き違いサッシ１００は、建築物の開口部に設けられ、四角形枠状に形成された枠体１と、枠体１に対して左右方向にスライド可能に設けられた一対の障子２（２Ａ、２Ｂ）と、を備えている。ここで、屋外側に位置する障子を外障子２Ａといい、屋内側に位置する障子を内障子２Ｂという。
【００１７】
以下の説明において、屋外側と屋内側とを結ぶ方向（壁部に直交する方向、図１では紙面に直交する方向）を屋内外方向とし、建築物の開口部が壁部を貫通する方向（壁部に対向する方向）から見た際の左側と右側を結ぶ水平方向を左右方向とする。また、引き違いサッシ１００を構成する各部材や部品などは、前記開口部に設けられている姿勢であるものとして、その姿勢における屋内外方向および左右方向を用いて説明する。
【００１８】
枠体１は、左右方向に延在する上枠１１及び下枠１２と、上枠１１の両端部と下枠１２の両端部とをそれぞれ連結し上下方向に延在する一対の縦枠１３と、を有している。以下の説明では、上枠１１、下枠１２及び一対の縦枠１３等の長尺の部材に対してそれぞれが延びる方向を長さ方向ということがある。本実施形態では、引き違いサッシ１００はアルミ樹脂複合サッシを対象としている。枠体１は、金属製の縦枠１３に対して金属製の上枠１１及び下枠１２の端部を突き当ててビス等の固定具で固定されている。
枠体１は、アルミニウム製の押出成形部材で構成され、枠体１の内部に形成され、各枠１１、１２、１３それぞれの長さ方向に延びる中空部に金属製の枠芯材が挿入配置されている。
【００１９】
一対の障子２Ａ、２Ｂは、枠体１の屋外側及び屋内側にそれぞれ設けられている。外障子２Ａ及び内障子２Ｂは、それぞれ障子２Ａ、２Ｂを閉じた状態で、枠体１内を閉塞するように配置されている。各障子２は、四方枠状に形成された框体２０と、框体２０内に納められた複層ガラス３０と、を有している。
【００２０】
框体２０は、左右方向に延在する上框２１及び下框２２と、上框２１の両端部と下框２２の両端部とをそれぞれ連結し上下方向に延在する召合せ框２３及び戸先框２４（なお、上框２１、下框２２、召合せ框２３及び戸先框２４のそれぞれを単に「框」と称することがある。）と、を有している。
【００２１】
本実施形態では、框体２０は、アルミニウム製の押出成形部材で構成されており、屋内側面が樹脂で覆われている。上框２１、下框２２は、召合せ框２３及び戸先框２４に両端部が突き当てられて枠組みされており、ビス等の固定具で固定されている。下框２２には、下枠１２に沿って左右方向に走行可能な戸車２５（図２参照）が設けられている。
【００２２】
図２に示すように、上枠１１は、左右方向に延びる上枠壁部１１１と、上枠壁部１１１から下方に延びるととともに左右方向に沿って延在し屋内外方向に間隔をあけて設けられる一対のレール案内壁１１２Ａ、１１２Ｂと、を有している。屋外側の外レール案内壁１１２Ａと屋外側の内レール案内壁１１２Ｂの下部分には、それぞれ外障子２Ａと内障子２Ｂの上端が左右方向にスライド自在に案内されるようになっている。
【００２３】
下枠１２は、左右方向に延びる下枠壁部１２１と、下枠壁部１２１から上方に延びるととともに左右方向に沿って延在し屋内外方向に間隔をあけて設けられる一対のレール案内壁１２２Ａ、１２２Ｂと、を有している。屋外側の外レール案内壁１２２Ａと屋外側の内レール案内壁１２２Ｂの上部分には、それぞれ外障子２Ａと内障子２Ｂの下端に設けられる戸車２５が左右方向に走行自在に案内されるようになっている。
【００２４】
下枠壁部１２１の上面には、一対のレール案内壁１２２Ａ、１２２Ｂ間に位置する中央区画部１２１Ａと、外レール案内壁１２２Ａより屋外側に位置する屋外区画部１２１Ｂと、内レール案内壁１２２Ｂより屋内側に位置する屋内区画部１２１Ｃと、が形成されている。中央区画部１２１Ａには、加熱発泡材Ｆ１２０が設けられている（図５参照）。なお、屋外区画部１２１Ｂと屋内区画部１２１Ｃとには、加熱発泡材が設けられていない。
また、下枠壁部１２１の下面には、アルミ、スチール等の金属により形成される断面Ｌ字状の下枠芯材１２３が設けられている。下枠芯材１２３は、下枠１２の延在方向（左右方向）の全長にわたって配置されている。
【００２５】
図２及び図３に示すように、外障子２Ａ及び内障子２Ｂに設けられる複層ガラス３０は、屋外側に配置される外ガラス３１と屋内側に配置される内ガラス３２とがスペーサ３３を介して一体に設けられている。
各框２１〜２４には、それぞれ断面略コの字状のガラス保持溝２８が形成されている。複層ガラス３０の四辺の端部は、ガラス保持溝２８内に嵌め込まれている。複層ガラス３０の周縁部において、屋内側の面は、框に係止された押縁によって押さえられている。
【００２６】
次に、各框２１〜２４について説明するが、外障子２Ａと内障子２Ｂは基本的に同様な構造であるので、外障子２Ａについて詳細に説明し、内障子２Ｂについては外障子２Ａと異なる構成のみを説明する。
【００２７】
外障子２Ａの上框２１Ａ（２１）は、図４に示すように、左右方向に沿って延びる外框壁２１１と内框壁２１２とが各面方向を鉛直方向に向けた状態で互いに間隔をあけて対向して配置されている。
外框壁２１１と内框壁２１２との間には、中空状に形成され、左右方向に延びる框ホロー部Ｓ２１が形成されている。框ホロー部Ｓ２１は、屋外側の外框壁２１１と屋内側の内框壁２１２とを連結する上連結壁２１３と下連結壁２１４とにより囲まれた空間を形成している。また、外框壁２１１、内框壁２１２、上連結壁２１３及び下連結壁２１４は、上框２１の左右方向の略全長に沿って形成されている。
【００２８】
下連結壁２１４の下側には、外框壁２１１と内框壁２１２とによってガラス保持溝２８が形成されている。換言すると、下連結壁２１４には、下側を向く下面２１４ｂに沿って複層ガラス３０の上端を保持するガラス保持溝２８が形成されるとともに、上側を向く上面２１４ａに沿って框ホロー部Ｓ２１が形成されている。
【００２９】
上連結壁２１３の上側には、外レール案内壁１１２Ａに止水パッキン２１７を介して係止するとともに上向きに開口するレール溝２１６が形成されている。レール溝２１６は、上框２１の延在方向（左右方向）にわたって形成されている。
上連結壁２１３の上面２１３ａには、加熱発泡材Ｆ２１０が設けられている。下連結壁２１４の下面２１４ｂには、加熱発泡材Ｆ２１１が設けられている。
【００３０】
外障子２Ａの下框２２Ａ（２２）は、図５に示すように、左右方向に沿って延びる外框壁２２１と内框壁２２２とが各面方向を鉛直方向に向けた状態で互いに間隔をあけて対向して配置されている。
外框壁２２１と内框壁２２２との間には、中空状に形成され、左右方向に延びる框ホロー部Ｓ２２が形成されている。框ホロー部Ｓ２２は、屋外側の外框壁２２１と屋内側の内框壁２２２とを連結する上連結壁２２３と下連結壁２２４とにより囲まれた空間を形成している。また、外框壁２２１、内框壁２２２、上連結壁２２３及び下連結壁２２４は、下框２２の左右方向の略全長に沿って形成されている。
【００３１】
上連結壁２２３の上側には、外框壁２２１と内框壁２２２とによってガラス保持溝２８が形成されている。換言すると、上連結壁２２３には、上側を向く上面２２３ａに沿って複層ガラス３０の下端を保持するガラス保持溝２８が形成されるとともに、下側を向く下面２２３ｂに沿って框ホロー部Ｓ２２が形成されている。
【００３２】
上連結壁２２３の上面２２３ａには、加熱発泡材Ｆ２２０が設けられている。
また、ガラス保持溝２８の下方には、加熱発泡材Ｆ２２１が設けられている。
さらに、框ホロー部Ｓ２２内において外框壁２２１には、加熱発泡材Ｆ２２２が設けられている。
【００３３】
框ホロー部Ｓ２２において、上連結壁２２３の下面２２３ｂに戸車２５が回転可能に支持されている。
上連結壁２２３の上面２２３ａにおける屋内外方向の略中央には、タッピングホール２２６が上方に突出するように設けられている。タッピングホール２２６内の雌ねじ部は、上連結壁２２３を貫通する孔に連続して形成されている。このタッピングホール２２６は、召合せ框２３又は戸先框２４に結合するためのねじ２２７の挿通部をなし、本実施形態では下框２２の長手方向の全長にわたって延在している。
そして、戸車２５は、外レール案内壁１２２Ａの上端に転動可能に載置されている。
【００３４】
図６に示すように、外障子２Ａの召合せ框２３Ａ（２３）は、外障子２Ａ及び内障子２Ｂが開口部を閉鎖している状態で一対の縦枠１３、１３の間の略中央部に配置され、戸先框２４Ａ（２４）は、外障子２Ａ及び内障子２Ｂが開口部を閉鎖している状態で一対の縦枠１３、１３に近接して配置されている。召合せ框２３及び戸先框２４は、図１に示すように、それぞれ上框２１及び下框２２の端面が突き合てられてビス止めされている。
【００３５】
召合せ框２３は、上下方向に沿って延びる外框壁２３１と内框壁２３２とが各面方向を鉛直方向に向けた状態で互いに屋内外方向に間隔をあけて対向して配置されている。
外框壁２３１と内框壁２３２との間には、中空状に形成され、上下方向に延びる框ホロー部Ｓ２３が形成されている。框ホロー部Ｓ２３は、屋外側の外框壁２３１と屋内側の内框壁２３２とを連結する第１連結壁２３３と第２連結壁２３４とにより囲まれた空間を形成している。また、外框壁２３１、内框壁２３２、第１連結壁２３３及び第２連結壁２３４は、召合せ框２３の上下方向の略全長に沿って形成されている。
【００３６】
框ホロー部Ｓ２３には、召合せ框２３の長手方向に沿って延在する框芯材２６が挿入配置されている。框芯材２６は、板面が屋内外方向を向く鉛直面を形成し外框壁２３１に沿って配置される第１片２６１と、板面が左右方向を向く鉛直面を形成し第１連結壁２３３に沿って配置される第２片２６２と、第２片２６２に対向するとともに板面が左右方向を向く鉛直面を形成し第２連結壁２３４に沿って配置される第３片２６３と、を有している。框芯材２６は、第２片２６２が第１連結壁２３３に当接した状態でビス２６４によって第１連結壁２３３に固定され、第３片２６３が第２連結壁２３４に当接した状態でビス２６５によって第１連結壁２３３に固定されている。
【００３７】
第１連結壁２３３の複層ガラス３０側には、複層ガラス３０側に向けて開口する凹状のガラス保持溝２８が設けられている。
【００３８】
第１連結壁２３３における複層ガラス３０側を向く面には、断面Ｌ字形状のガラス保持金具２７がビス２６４によって固定されている。ガラス保持金具２７は、板面が外框壁２３１に沿って配置される第１保持片２７１と、板面が第１連結壁２３３に沿って配置される第２保持片２７２と、を有している。第１保持片２７１は、ガラス保持溝２８の屋外側側面２８ａを屋外側から当接または押圧することで複層ガラス３０の屋内外方向の振れを規制している。
【００３９】
框芯材２６の第１片２６１の内面には、加熱発泡材Ｆ２３０が設けられている。
また、内框壁２３２における第１連結壁２３３より複層ガラス３０側には、加熱発泡材Ｆ２３１が設けられている。
加熱発泡材Ｆ２３０は、外障子２Ａの召合せ框２３Ａ、及び内障子２Ｂの召合せ框２３Ｂの上端に設けられる加熱発泡材Ｆ２３０Ａと、外障子２Ａの召合せ框２３Ａ、及び内障子２Ｂの召合せ框２３Ｂの下端に設けられる加熱発泡材Ｆ２３０Ｂと、からなる。
【００４０】
内框壁２３２の上下方向の中間部分には、図３に示すように、内障子２Ｂの召合せ框２３に設けられるクレセント錠２３８（後述する）が係止可能なクレセント錠固定部２３７が設けられている。
【００４１】
外障子２Ａの戸先框２４Ａ（２４）は、図３に示すように、上下方向に沿って延びる外框壁２４１と内框壁２４２とが各面方向を鉛直方向に向けた状態で互いに屋内外方向に間隔をあけて対向して配置されている。外框壁２４１と内框壁２４２との間には、左右方向に仕切る区画壁２４３が設けられている。区画壁２４３は、戸先框２４の上下方向の略全長に沿って形成されている。
【００４２】
区画壁２４３の複層ガラス３０側には、複層ガラス３０側に向けて開口する凹状のガラス保持溝２８が設けられている。
外框壁２４１の縦枠１３側の端部には、屋内側に向けて突出する止水パッキン２４４が設けられている。
【００４３】
なお、図示しないが、外障子２Ａの戸先框２４Ａの上端及び下端には加熱発泡材が設けられている。また、内障子２Ｂの戸先框２４Ｂの上端には加熱発泡材が設けられている。
【００４４】
次に、内障子２Ｂにおける各框体２０の具体的な構成について説明する。なお、外障子２Ａと共通する構成については説明を省略し、異なる構成のみ説明する。
内障子２Ｂの上框２１Ｂ（２１）は、図４に示すように、外障子２Ａとほぼ同様の構成である。すなわち、加熱発泡材は、上連結壁２１３の上面２１３ａに加熱発泡材Ｆ２１０が設けられ、下連結壁２１４の下面２１４ｂに加熱発泡材Ｆ２１１が設けられている。
【００４５】
内障子２Ｂの下框２２Ｂ（２２）は、図５に示すように、外障子２Ａとほぼ同様の構成である。すなわち、加熱発泡材は、上連結壁２２３の上面２２３ａに加熱発泡材Ｆ２２０が設けられ、ガラス保持溝２８の下方に加熱発泡材Ｆ２２１が設けられ、さらに框ホロー部Ｓ２２内において外框壁２２１に加熱発泡材Ｆ２２２が設けられている。
【００４６】
召合せ框２３Ｂの框ホロー部Ｓ２３には、クレセント錠２３８を固定ねじ２３８ａによって固定するための裏板２３９が設けられている（図３参照）。クレセント錠２３８は、障子２Ａ、２Ｂを閉じた状態で外障子２Ａのクレセント錠固定部２３７に係止可能に設けられている。
【００４７】
加熱発泡材Ｆ２３０は、框ホロー部Ｓ２３内の外框壁２３１の屋内面側に設けられている。
【００４８】
内障子２Ｂの戸先框２４Ｂ（２４）は、図３に示すように、外障子２Ａの戸先框２４Ａとほぼ同様の構成である。
【００４９】
次に、本実施形態による引き違いサッシ１００の作用について、図面に基づいて詳細に説明する。
図２及び図３に示すように、本実施形態による引き違いサッシ１００では、外障子２Ａにおける召合せ框２３Ａ以外の框（すなわち、上框２１Ａ、下框２２Ａ、及び戸先框２４Ａ）、及び内障子２Ｂのすべての框（すなわち、上框２１Ｂ、下框２２Ｂ、召合せ框２３Ｂ及び戸先框２４Ｂ）に芯材が設けられていないので、その芯材の無い框は熱伸びしやすい状態となる。そのため、火災時に高温に晒されたときに、芯材の無い框を熱によって変形する枠体１に追従させて一体化させることができる。
すなわち、火災の際に枠体１と障子２とが別々の動きをしないことから、障子２と枠体１との間に隙間が生じることを抑制することができ、屋内外が連通することを防止でき、防火性能を確保することができる。
【００５０】
しかも、枠体１と障子２との間に隙間が無く一体化できるので、隙間を埋めるための加熱発泡材を無くす、又は低減することが可能となり、部品数を減らすことができるので、製造コストの低減を図ることができる。
【００５１】
さらに、外障子２Ａのうち変形が小さな召合せ框２３Ａのみに金属製の框芯材２６を設けているので、外障子２Ａが加熱により変形しても框芯材２６のある召合せ框２３Ａで形状を維持することができる。そのため、全ての框から芯材を無くした場合のように障子２全体の形状が保持されずに外障子２Ａが枠体１から脱落してしまうことを回避できる。
【００５２】
また、本実施形態では、上框２１が熱伸びた状態で外障子２Ａが自重により枠体１の上枠１１に追従せずに上框２１Ａと上枠１１との間に隙間が生じる場合であっても、図４に示すように、上框２１に設けられる加熱発泡材Ｆ２１０によってその隙間を埋めることができる。この場合においても、外障子２Ａの上框２１Ａに加熱発泡材Ｆ２１０を設けるだけの構成となるので、障子２に設ける加熱発泡材の部材数を少なく抑えることができ、製造コストの低減を図ることができる。
【００５３】
さらに、本実施形態では、上框２１Ｂが熱伸びた状態で内障子２Ｂが自重により枠体１の上枠１１に追従せずに上框２１Ｂと上枠１１との間に隙間が生じる場合であっても、図４に示すように、内障子２Ｂの上框２１Ｂに設けられる加熱発泡材Ｆ２１０によってその隙間を埋めることができる。この場合においても、内障子２Ｂの上框２１Ｂに加熱発泡材Ｆ２１０を設けるだけの構成となるので、障子２に設ける加熱発泡材の部材数を少なく抑えることができ、製造コストの低減を図ることができる。
【００５４】
また、本実施形態では、外障子２Ａの下部の下框２２Ａが熱伸びた状態で枠体１の下枠１２に追従せずに下框２２Ａと下枠１２との間に隙間が生じる場合であっても、図５に示すように、下框２２Ａと下枠１２との間に設けられる加熱発泡材Ｆ１２０によってその隙間を埋めることができる。この場合においても、外障子２Ａの下部と下枠１２との間に加熱発泡材Ｆ１２０を設けるだけの構成となるので、障子２に設ける加熱発泡材の部材数を少なく抑えることができ、製造コストの低減を図ることができる。
【００５５】
また、本実施形態では、火災時に高温に晒されると、枠体１と外障子２Ａ及び内障子２Ｂは熱伸びすることになるが、内部に框芯材２６が設けられている外障子２Ａの召合せ框２３Ａ及び召合せ框２３Ａの屋内側に設けられた内障子２Ｂの召合せ框２３Ｂは熱伸びによる変形が小さくなるため、枠体１の上枠１１と下枠１２に対して一体的に追従しにくくなる。したがって、召合せ框２３Ａ、２３Ｂの上下端部は隙間が形成されやすくなるため、その召合せ框２３Ａ、２３Ｂの上端及び下端に設けられた加熱発泡材Ｆ２３０Ａ、Ｆ２３０Ｂによってその隙間を埋めることができる構造になっている。この場合においても、各障子２Ａ、２Ｂの召合せ框２３Ａ、２３Ｂの上端及び下端に加熱発泡材を設けるだけの構成となるので、障子２に設ける加熱発泡材の部材数を少なく抑えることができ、製造コストの低減を図ることができる。
【００５６】
さらに、本実施形態では、火災時に高温に晒されると、外障子２Ａのうち熱伸びによる変形が最も大きく、振れの大きく隙間が生じやすい戸先框２４Ａの上端と下端に設けられた加熱発泡材（図示省略）によってその隙間を埋めることができる。この場合においても、外障子２Ａの戸先框２４Ａの上端及び下端に加熱発泡材を設けるだけの構成となるので、障子２に設ける加熱発泡材の部材数を少なく抑えることができ、製造コストの低減を図ることができる。
【００５７】
さらにまた、本実施形態では、火災時に高温に晒されると、内障子２Ｂのうち熱伸びによる変形が最も大きく、振れの大きく隙間が生じやすい戸先框２４Ｂの上端に設けられた加熱発泡材（図示省略）によってその隙間を埋めることができる。この場合においても、内障子２Ｂの戸先框２４Ｂの上端に加熱発泡材を設けるだけの構成となるので、障子２に設ける加熱発泡材の部材数を少なく抑えることができ、製造コストの低減を図ることができる。
【００５８】
また、本実施形態では、火災時に高温に晒されると、戸先框２４及び上框２１、下框２２の熱伸びによる変形量に対して、召合せ框２３の変化量が小さいため、上枠１１と上框２１及び召合せ框２３の上端部との間に隙間ができ、また下枠１２と下框２２及び召合せ框２３の下端部との間に隙間ができる。
上框２１の加熱発泡材Ｆ２１０と、召合せ框２３の上端の加熱発泡材Ｆ２３０Ａとは、加熱されて発泡した時に上枠１１と上框２１及び召合せ框２３の上端部との間の隙間を塞ぎ、さらに発砲後の加熱発泡材Ｆ２１０と加熱発泡材Ｆ２３０Ａとが連続するように設けられている。
また、下框２２の加熱発泡材Ｆ２２０と、召合せ框２３の下端の加熱発泡材Ｆ２３０Ｂとは、加熱されて発泡した時に下枠１２と下框２２及び召合せ框２３の下端部との間の隙間を塞ぎ、さらに発砲後の加熱発泡材Ｆ２２０と加熱発泡材Ｆ２３０Ｂとが連続するように設けられている。
【００５９】
このように本実施の形態では、火災時における障子と枠体との間に隙間が生じることを防ぐことで、防火性能を確保することができる。
【００６０】
以上、本発明による引き違いサッシの実施形態について説明したが、本発明は上記の実施形態に限定されるものではなく、その趣旨を逸脱しない範囲で適宜変更可能である。
【００６１】
例えば、各部位に設けられる加熱発泡材の取付け位置、形状、長さ寸法、厚さ、数量等の構成は、上述した実施形態に限定されることはなく、任意に設定することができる。
【００６２】
また、本実施形態では、外障子２Ａの召合せ框２３Ａに挿入配置されている框芯材２６は断面Ｌ字形状をなしているが、Ｌ字形状であることに限定されることはなく、例えば断面コの字形状や矩形状であってもかまわない。
【００６３】
その他、本発明の趣旨を逸脱しない範囲で、上記した実施形態における構成要素を周知の構成要素に置き換えることは適宜可能である。
【符号の説明】
【００６４】
１００  引き違いサッシ
１  枠体
２  障子
２Ａ  外障子
２Ｂ  内障子
１１  上枠
１２  下枠
１３  縦枠
２０  框体
２１、２１Ａ、２１Ｂ  上框
２２、２２Ａ、２２Ｂ  下框
２３、２３Ａ、２３Ｂ  召合せ框
２４、２４Ａ、２４Ｂ  戸先框
２６  框芯材
２７  ガラス保持金具
２８  ガラス保持溝
３０  複層ガラス
３１  外ガラス
２２６  タッピングホール
Ｆ１２０、Ｆ２１０、Ｆ２１１、Ｆ２２０、Ｆ２２１、Ｆ２２２、Ｆ２３０、Ｆ２３０Ａ、Ｆ２３０Ｂ、Ｆ２３１  加熱発泡材
【図１】
2020114975.tif 000003
【図２】
2020114975.tif 000004
【図３】
2020114975.tif 000005
【図４】
2020114975.tif 000006
【図５】
2020114975.tif 000007
【図６】
2020114975.tif 000008
【図７】
2020114975.tif 000009